(57)【要約】【課題】  プリント写真作成において、作成されたプリント写真が顧客からのプリント写真注文表に記載された順番どおりに最終的に提供されているかを確認する検品照合を容易に行うことが可能なプリント写真作成システムを提供する。【解決手段】  画像情報に識別情報を付与する識別情報付与手段、識別情報を有する画像情報を登録する登録手段、注文情報取込手段で取り込んだ注文情報の入力順を取り込む注文順番情報取込手段、注文情報と画像情報の識別情報を照合する照合手段、照合された画像情報を取り出す画像情報取出し手段、プリント写真を作成する順に画像情報を配列させる画像情報配列手段と、プリント写真作成手段、とを有するプリント写真作成システム。【選択図】        図１
2006332747.tif 000002
【特許請求の範囲】
【請求項１】
撮像装置により撮像された画像情報に識別情報を付与する識別情報付与手段と、
該識別情報が付与された画像情報を登録する登録手段と、
顧客からの注文情報を取り込む注文情報取込手段と、
該注文情報取込手段により取り込まれた注文情報の中から、該注文情報の入力順番を取り込む注文順番情報取込手段と、
該注文情報取込手段により取り込まれた注文情報と該登録手段に登録された画像情報に付与された識別情報とを照合する照合手段と、
該照合手段により照合された識別情報を有する画像情報を該登録手段より取り出す画像情報取出し手段と、
該画像情報取出し手段より取り出された画像情報を該注文順番情報取込手段により取り込まれた順番に配列する画像情報配列手段と、
該画像情報配列手段により配列された画像情報を用いてプリント写真を作成するプリント写真作成手段と、
を有することを特徴とするプリント写真作成システム。
【請求項２】
前記プリント写真作成システムは、前記登録手段に登録された画像情報を複写する画像情報複写手段を有することを特徴とする請求項１に記載のプリント写真作成システム。
【請求項３】
前記プリント写真作成手段が、ハロゲン化銀写真感光材料にプリント写真を作成するものであることを特徴とする請求項１または２に記載のプリント写真作成システム。
【請求項４】
前記プリント写真作成手段が、非磁性１成分現像剤を用いてプリント写真を作成するものであることを特徴とする請求項１または２に記載のプリント写真作成システム。
【請求項５】
撮像装置により撮像された画像情報に識別情報を付与し、該識別情報を付与した画像情報を予めデータベースに登録しておき、
顧客からの注文表に記載された順番どおりに画像情報の注文情報を入力し、
顧客からの注文情報と、予め登録しておいた画像情報に付与されている識別情報とを照合して、注文情報と一致する識別情報を有する画像情報をデータベースより取り出し、
取り出した画像情報を顧客からの注文表に記載された順番どおりに配列してから、該画像情報を用いてプリント写真を作成する、ことを特徴とするプリント写真作成方法。
【請求項６】
前記データベースに登録された画像情報を複写し、複写した画像情報を用いてプリント写真を作成することを特徴とする請求項５に記載のプリント写真作成方法。
【請求項７】
コンピュータによって、プリント写真作成の制御を行うプログラムであって、
撮像装置により撮像された画像情報に識別情報を付与する処理と、
該識別情報が付与された画像情報を登録する処理と、
顧客からの注文情報を取り込む処理と、
該取り込まれた注文情報より該注文情報の入力順番を取り込む処理と、
該取り込まれた注文情報と該登録された画像情報に付与された識別情報とを照合する処理と、
該照合された識別情報を有する画像情報を取り出す処理と、
該取り出された画像情報を該取り込まれた順番に配列する処理と、
該配列された順番に画像情報をプリント写真に作成する処理と、
を行うようにプリント写真作成の制御を行うことを特徴とするプログラム。
【発明の詳細な説明】
【技術分野】
【０００１】
本発明は、プリント写真作成の作業効率を向上させるようにしたプリント写真作成システムに関する。
【背景技術】
【０００２】
たとえば、運動会や学芸会などの学校行事や町内会のイベントなどで業者が写真撮影を行い、イベントに参加した人に撮影写真を提示してその中からほしい写真を注文表に記入させて、注文を受けたプリント写真を顧客に提供する写真のビジネスがある。
【０００３】
このビジネスでは、顧客からの注文を間違えることなく正確に、しかも、受注後できるだけ早く、プリント写真を顧客に提供することが求められている。そして、複数の顧客からプリント写真の注文を受けて、個々の顧客からの注文に正確かつ迅速に応えるようにプリント写真を提供することは意外と手間のかかる作業を伴うものである。
【０００４】
顧客からの注文を間違えずに正確にプリント写真を提供する方法としては、例えば、顧客から受けた注文表の順番どおりにプリント写真を作成することが理想的である。これは、顧客がたった１人であれば可能であるが、現実は複数の顧客からの注文を同時にこなさなくてはならないのである。そして、ある顧客から注文を受けた写真が他の顧客からも注文されていることがあり、１つの画像に対して異なる顧客向けに必要枚数分のプリント写真をまとめて作成する方法がよく採られている。すなわち、プリント写真作成作業を効率よく行うために同じシーンの画像については注文枚数分まとめてプリント写真を作成しておき、あとで顧客の注文表を見ながらプリント写真を顧客別に仕分けていた。そして、最終工程で、仕分けられたプリント写真が注文表の順番どおりに入っているかを検品し、順番どおりに入っていることを確認し、顧客へのプリント写真の提供を行っていた。
【０００５】
そして、従来よりプリント写真作成の効率を向上させることを目的とした技術がいろいろと検討されてきた。例えば、多数の顧客から注文されたものを複数の組に分割して、分割された組毎にプリント注文を集計し、その集計結果に基づいて分割された組毎にプリント作成を行うプリント写真生産方法（例えば、特許文献１参照）がある。また、全ての注文内容をいったん集計しておき、そのあとで仕分けに応じてデータを編集し、編集されたデータに基づいて写真プリントを仕分けられるようにプリント写真を作成するプリント写真生産システム（例えば、特許文献２参照）の技術がある。
【０００６】
また、プリント写真の作成や仕分け、納品などの作業効率を向上させるための手段の改良も進められてきた。例えば、マークシート方式の注文表により注文表の記載内容をプリント写真の作成工程や仕分け工程に直接反映できるようにした技術（例えば、特許文献３参照）がある。また、デジタル画像データやプリント注文データを活用できるようにして、プリント写真の発送先（宛名）とプリント写真とを照合する作業を行わずに納品できるようにしたデジタルプリントシステム（例えば、特許文献４参照）が挙げられる。
【０００７】
このように、プリント写真作成作業とプリント写真の仕分け作業の両方を効率よく行えるようにするなど、現像所などのプリント写真作成作業を行う場所での作業効率を向上させる技術が検討されてきた。
【特許文献１】特開平８−１６０５４１号公報
【特許文献２】特開平８−２４８６１２号公報
【特許文献３】特開平８−２９３００９号公報
【特許文献４】特開２００１−９４６９５号公報
【発明の開示】
【発明が解決しようとする課題】
【０００８】
ところで、プリント写真作成の現場では、その最終工程で実際に作成したプリント写真が顧客からの注文表の内容と一致しているかを確認する検品照合の工程がある。この作業は、顧客の注文どおりにプリント写真が間違いなく提供されているかを確認する上で重要であるが、顧客からの注文が多くなるとそれだけ時間を要することになり作業効率を低下させることになった。
【０００９】
しかしながら、現像所では運動会などの写真注文のように、数百名、千名近くの顧客からの注文を受ける場合がある。このようなケースでは、大量の注文を短時間のうちにさばかなければならず、注文したプリント写真が入っていなかったり、注文していない写真を間違って違う顧客に提供するなどのトラブルが起き易い状況になる。特に、注文したプリント写真が入っていないことが顧客から指摘されると、あらためてプリント写真を作成し直さなければならないなどの対応を行うため手間が増えて作業性を大幅に低下させた。
【００１０】
このように、プリント写真作成の現場では、大量の注文を受けたときなどプリント写真が顧客の注文どおりに提供されていないおそれがあったので、最終工程で顧客の注文どおりに提供されているかを人海戦術的に確認する作業が必要であった。また、前述の特許文献に開示された技術は、いずれも作成されたプリント写真が顧客からの注文どおりに正確に供給されているかを確認することを示唆するものではなかった。
【００１１】
本発明は、たとえば、複数の顧客から大量の写真注文を受けたときでも、簡単に検品照合を行うことができ個々の顧客の注文どおりに正確にプリント写真を供給することが可能なプリント写真作成システムを提供することを目的とする。すなわち、本発明では、同じ写真を複数の顧客から注文され必要枚数分のプリント写真をまとめて作成し、これを仕分けていたケースと比べて、仕分けを行わずに簡単な検品照合を行うだけで各顧客からの注文に正確に対応できるプリント写真作成システムを提供することを目的とする。
【課題を解決するための手段】
【００１２】
本発明の効果は、以下に記載のいずれかの構成により奏されることが確認された。すなわち、以下に記載の構成により、複数の顧客からプリント写真注文を受けた時でも注文表に記載された順番どおりにプリント写真を提供することができるようになった。
【００１３】
（請求項１）
撮像装置により撮像された画像情報に識別情報を付与する識別情報付与手段と、
該識別情報が付与された画像情報を登録する登録手段と、
顧客からの注文情報を取り込む注文情報取込手段と、
該注文情報取込手段により取り込まれた注文情報の中から、該注文情報の入力順番を取り込む注文順番情報取込手段と、
該注文情報取込手段により取り込まれた注文情報と該登録手段に登録された画像情報に付与された識別情報とを照合する照合手段と、
該照合手段により照合された識別情報を有する画像情報を該登録手段より取り出す画像情報取出し手段と、
該画像情報取出し手段より取り出された画像情報を該注文順番情報取込手段により取り込まれた順番に配列する画像情報配列手段と、
該画像情報配列手段により配列された画像情報を用いてプリント写真を作成するプリント写真作成手段と、
を有することを特徴とするプリント写真作成システム。
【００１４】
（請求項２）
前記プリント写真作成システムは、前記登録手段に登録された画像情報を複写する画像情報複写手段を有することを特徴とする請求項１に記載のプリント写真作成システム。
【００１５】
（請求項３）
前記プリント写真作成手段が、ハロゲン化銀写真感光材料にプリント写真を作成するものであることを特徴とする請求項１または２に記載のプリント写真作成システム。
【００１６】
（請求項４）
前記プリント写真作成手段が、非磁性１成分現像剤を用いてプリント写真を作成するものであることを特徴とする請求項１または２に記載のプリント写真作成システム。
【００１７】
（請求項５）
撮像装置により撮像された画像情報に識別情報を付与し、該識別情報を付与した画像情報を予めデータベースに登録しておき、
顧客からの注文表に記載された順番どおりに画像情報の注文情報を入力し、
顧客からの注文情報と、予め登録しておいた画像情報に付与されている識別情報とを照合して、注文情報と一致する識別情報を有する画像情報をデータベースより取り出し、
取り出した画像情報を顧客からの注文表に記載された順番どおりに配列してから、該画像情報を用いてプリント写真を作成する、ことを特徴とするプリント写真作成方法。
【００１８】
（請求項６）
前記データベースに登録された画像情報を複写し、複写した画像情報を用いてプリント写真を作成することを特徴とする請求項５に記載のプリント写真作成方法。
【００１９】
（請求項７）
コンピュータによって、プリント写真作成の制御を行うプログラムであって、
撮像装置により撮像された画像情報に識別情報を付与する処理と、
該識別情報が付与された画像情報を登録する処理と、
顧客からの注文情報を取り込む処理と、
該取り込まれた注文情報より該注文情報の入力順番を取り込む処理と、
該取り込まれた注文情報と該登録された画像情報に付与された識別情報とを照合する処理と、
該照合された識別情報を有する画像情報を取り出す処理と、
該取り出された画像情報を該取り込まれた順番に配列する処理と、
該配列された順番に画像情報をプリント写真に作成する処理と、
を行うようにプリント写真作成の制御を行うことを特徴とするプログラム。
【発明の効果】
【００２０】
本発明では、撮影した個々の画像情報に識別情報を付与し、この識別情報を介して各撮影画像をコンピュータにより認識、管理することをできるようにした。その結果、識別情報を介して各画像情報を検索することができるので、顧客からの注文表に記載された注文情報の順番どおりにプリント写真を作成することが可能になり、顧客の注文内容とプリント写真とを検品照合を簡単に行えるようになった。
【００２１】
特に、本発明では、複数の顧客から同じ画像のプリント写真作成注文を依頼されても、請求項２や請求項６に記載の構成により画像情報を複写することにより、プリント写真をまとめて作成せずに顧客の注文表に記載された順番どおりに作成することができる。したがって、従来のように複数の顧客から同じ画像のプリント写真作成依頼を受けても、必要枚数分のプリント写真をまとめて作成し、それをあとで顧客毎に仕分ける必要がない。すなわち、複数の顧客から同じ画像のプリント写真の注文を受けても、まとめてプリント写真を作成してそれを仕分ける手間がなく、同時に、顧客の注文内容とプリント写真との検品照合を簡単に行えば済むので、作業効率を大幅に向上させることができた。
【００２２】
このように、本発明によれば、注文表に記載された順番どおりにプリント写真を作成することができるので、プリント写真の検品照合に手間をかけることがなくなり、プリント写真作成作業の効率を大幅に向上させることができた。
【発明を実施するための最良の形態】
【００２３】
運動会などのイベントで撮影した写真を顧客に提供するサービスでは、多数の顧客からの多様なプリント写真注文に対し、短時間のうちに効率よく、しかも、正確に対処することが求められていた。この作業を行う現像所では、顧客からのプリント写真注文を受けると、作業者はおびただしい量の画像の中から顧客の注文した画像を自分の目で確認しながらそれを探し出さなければならなかった。また、探し出した画像から最適な仕上がりのプリント写真を得るために、例えば、印画紙の乳剤番号に合わせてフィルタ条件を設定するなどの作業が必要であった。このような状況から、現像所では顧客の注文に対して限られた時間内に美しい仕上がり品質のプリント写真を提供するため、作業効率を向上させるための対策がいろいろと行われていた。
【００２４】
作業効率を向上させる方法の１つとして、１つの画像に対して複数枚のプリント写真作成の注文を受けたとき、プリント写真を予め注文枚数分まとめて作成し、これを顧客別に仕分けてプリント写真を提供する方法があった。この方法は、まとめて作成したプリント写真を顧客別に仕分けてから、最後に注文表とプリント写真とを検品照合してプリント写真を提供しており、プリント写真を正確に提供する上では効果的であるが、仕分けや検品に多くの時間を要した。また、仕分けや検品照合の工程は人為的な作業工程のため、どうしても作業者の熟練度に負う面が多く、プリント写真を誤って提供するミスを完全に防ぎ切れるものではなかった。
【００２５】
本発明者は、プリント写真作成後の仕分け作業をなくし検品作業を容易にすることで各顧客から注文されたプリント写真を間違えずに提供できるようにする方法を検討した。特に、複数の顧客から同じ写真の注文を受けたときにプリント写真をまとめて作成せずに注文表どおりに作成する方法を検討したのである。そして、個々の撮像画像に識別番号を付与し、この識別番号により各撮像画像の検索を行うことで、プリント写真作成時に目的の画像を目視で探す手間をなくし、どの画像もデータベースから容易に取り出せるようにすることを考えた。
【００２６】
本発明では、個々の撮像画像に識別情報を付与し、プリント写真作成時にこの識別情報を手がかりにして対応する画像情報をデータベースから取り出せるようにしてプリント写真作成が行えるようにした。すなわち、顧客からの注文表に記載された順番どおりに識別情報を入力し、識別情報に対応して画像情報を取り出せるようにすることで、注文表に記載された順番どおりにプリント写真作成が行えるようにした。その結果、プリント写真作成時にどのような注文を受けても、注文表に記載された順番どおりにプリント写真が作成できるので、作成作業の効率を低下させることなく顧客に対して迅速で正確なプリント写真の提供を行えるようにした。特に、本発明では、同じ画像に対し複数枚数のプリント写真作成の注文を受けた場合でも、後述する方法によりプリント写真作成時に同じプリント写真をまとめて作成せずに対応できるようにしてある。
【００２７】
以下、本発明について詳細に説明する。
【００２８】
本発明に係るプリント写真作成システムを図１に基づいて説明する。図１は、本発明に係るプリント写真作成システムの概要を示す模式図である。図１のプリント写真作成システムは、デジタルカメラ１１に用いられた記録媒体２に記録された各画像情報に識別情報を付与し、識別情報が付与された画像情報を用いてプリント写真１０ａや１０ｂを作成するものである。１０ａのプリント写真は、イベント時に撮影された全てのシーンを大判の記録媒体上に出力したもので、プリント写真の注文時に顧客がこの中から希望する写真を見つけ出し注文を行うために使用される見本写真である。業者はプリントができたときにこれを顧客に提示し、顧客はこの中から希望の写真を選んで業者に注文する。また、１０ｂは注文を行った顧客に最終的に納品するプリント写真である。
【００２９】
撮像装置であるデジタルカメラ１１は、液晶モニタを備えたタイプのカメラなどがその代表例で、撮影により取得した画像情報２０を、そのデジタルカメラ本体やメモリカード（登録商標）に代表される着脱可能な記録媒体２に記録するものである。記録媒体２に記録される画像情報２０（以下、画像ファイル２０ともいう）は、撮像画像２１と、各撮像画像２１を撮影したときの時刻の情報などの付帯情報を記録したタグ情報領域２２から構成される。なお、本発明で画像情報２０に付与する識別情報２５は、このタグ情報領域２２に保管されるようになっている。
【００３０】
デジタルカメラ１１により記録媒体２に記録された画像情報２０は、デジタルカメラ１１から取り外された記録媒体２を情報取扱装置３に備えられているカードリーダに代表される記録媒体装填部にセットすることで、プリント写真作成を行う業者のシステムに受け渡される。
【００３１】
情報取扱装置３は、本発明に係るプリント写真作成システムの作動を制御するプログラムを備えたコンピュータであり、本発明におけるプリント写真作成を制御、統括する制御手段として作用するものである。本発明に係るプリント写真作成システムでは、情報取扱装置３は以下のような作業を行う。
【００３２】
先ず、コンピュータ３に記録媒体２がセットされると、記録媒体２より画像情報２０を取り出し、画像情報２０に設けられたタグ情報領域２２に各撮像画像２１を識別するための識別情報２５を付加する。そして、タグ情報領域２２に識別情報２５を付加した画像情報２０をデータベース５に登録、保管する。
【００３３】
また、コンピュータ３はデータベース５に保管した画像情報２０を用いてプリント写真出力装置６でのプリント写真作成を制御するものである。コンピュータ３は見本写真１０ａを作成する際、印画紙上に撮像画像２１といっしょに各撮像画像に対応する識別情報２５も出力し、これを見本番号として顧客の注文情報として活用する。
【００３４】
さらに、コンピュータ３はプリント写真注文表２６に記載された見本番号が入力部を介して入力されると、入力された見本番号がコンピュータ３のメモリ等に記憶される。そして、コンピュータ３はメモリに記憶された注文情報に基づいて顧客からのプリント写真の注文に対応するように制御する。本発明では、コンピュータ３に注文情報（見本番号）が入力されると、入力された見本番号がメモリに記憶されるとともに、各見本番号が何番目に入力されたかという入力順番もいっしょに記憶される。そして、コンピュータ３は、メモリに記憶した入力順番を活用してプリント写真の作成を制御する。すなわち、本発明ではコンピュータ３がデータベース５より画像情報２０を取り出すと、取り出した画像情報２０をメモリに記憶した注文情報の入力順番に並べ、この順番でプリント写真出力装置６からプリント写真１０ｂを出力するように制御する。
【００３５】
また、コンピュータ３は、図１に示すように、記録媒体２より取り出され識別情報２５が付与された画像情報２０を登録、保管しておくデータベース５や、プリント写真を作成するプリンタ（プリント写真出力装置）６などの周辺機器と接続し、これらの作動を制御する。
【００３６】
データベース５は、本発明における登録手段に該当するもので、情報取扱装置３により識別情報２５が付与された画像情報２０を登録、保管しておくもので、ハードディスクドライブ（ＨＤＤ）などの外部記録装置がその代表例である。また、データベース５には、プリント写真作成時に使用される背景画像やイラスト、アート文字などの情報や、撮像画像２１に対して色、階調変換、画素数変換、各種編集処理などの画像処理を施すために使用されるテンプレートデータも保管される。なお、撮像画像２１へのテンプレートデータを用いての画像処理は情報取扱装置３によって行われるもので、データベース５にはこのような画像処理を行った撮像画像２１を有する画像情報２０を保管する。
【００３７】
プリント写真出力装置（プリンタ）６は、コンピュータ３からの指示に基づいてデータベース５に保管しておいた画像情報２０よりプリント写真１０を作成するもので、本発明におけるプリント写真出力手段に相当する。
【００３８】
本発明に係るプリント写真作成システムでは、情報取扱装置（コンピュータ）３内に装填される制御部３により、記録媒体２から供給された画像情報２０と顧客からのプリント写真注文表２０を用いて、プリント写真作成が行われる。ここで、本発明に係るプリント写真作成システムの制御関係を図２のブロック図を用いて説明する。
【００３９】
情報取扱装置３は、ＣＰＵ、メモリ３Ｍ、演算ユニット３Ａ、入出力インターフェイス、駆動回路等からなるコンピュータである。本発明に係るプリント写真作成システムで行われるプリント写真作成は、情報取扱装置３のメモリ３Ｍに格納されているプログラムを実行することにより行われる。
【００４０】
図２に示すように、情報取扱装置（図中では制御部と記す）３は、図示しない入出力インターフェイスを介して各種周辺機器と接続してこれら機器の作動を制御する。すなわち、撮像装置で撮像された撮像画像を収納した記録媒体２を装填する記録媒体装填部３１や識別情報、プリント写真注文表２６に記載されている注文情報を入力する情報入力部３２といった入力系の機器や、記録媒体２より取り込まれ識別情報の付与された画像情報２０を登録、保管しておくデータベース５、プリント写真１０を出力するプリント写真出力装置６などの出力系の機器が接続されている。
【００４１】
制御部３内の演算ユニット３Ａ内には、記録媒体２から提供される画像情報や識別情報、プリント写真注文表２６からの注文情報に基づいて情報処理を行う各種処理部が設けられている。
【００４２】
撮像画像取込部３３は、撮像画像取り込み手段として作用するもので、デジタルカメラ１１で得られた撮像画像を記録媒体２より取り出し、プリント写真作成システム１に取り込むものである。識別情報取込部３４は、識別情報取込手段として作用するもので、予め設定しておいた識別情報リストより識別情報２５をプリント写真作成システム１に取り込むものである。
【００４３】
情報合成部３５は、本発明における識別情報付与手段に該当するもので、記録媒体２より撮像画像取込部３３に取り込まれた画像ファイル２０内のタグ情報領域２２に、識別情報取込部３４より取り込まれた識別情報２５を合成して、画像ファイル２０に識別情報２５を付与するものである。すなわち、情報合成部３５はデータベース５に登録する画像情報２０を作成するものである。
【００４４】
本発明では、情報合成部３５で作成された画像情報２０をプリント写真作成に使用し、プリント写真作成に使用される画像情報２０は本発明における登録手段に該当するデータベース５にいったん登録、保管され、プリント写真作成時にデータベース５より該当する画像情報２０を取り出して画像形成が行われる。また、情報合成部３５で作成されたプリント写真作成用の画像情報２０をコンピュータ３に接続するモニタに表示させて、各画像情報とそれに付与された識別情報２５とを確認することも可能である。
【００４５】
注文情報取込部３６は、本発明における注文情報取込手段に該当するもので、顧客からのプリント写真注文表２６に記載された注文情報をプリント写真作成システム１に取り込むものである。ここで、顧客からの注文情報とは、プリント写真注文表２６に記載された見本番号２５とプリント写真注文表２６で個々の見本番号２５が記載されている順番のことをいう。すなわち、注文情報取込部３６は、プリント写真注文表２６に記載された各画像情報２０に対応する見本番号（識別情報）を取り込む見本番号取込部３６Ａと、見本番号取込部３６Ａで取り込まれた各見本番号がプリント写真注文表２６の中で何番目に記載されているか、その記載順番を情報として取り込む本発明における注文順番情報取込手段に該当する注文順番情報取込部３６Ｂを有する。このように、注文情報取込部３６では、プリント写真注文表２６に記載された見本番号そのものと各見本番号の記載順番という２種類の情報を本発明に係るプリント写真作成システム１に取り込んでいる。
【００４６】
また、見本番号取込部３６Ａは、プリント写真注文表２６で見本番号にそのプリント写真の希望枚数が併記されている場合、見本番号に対応させてそのプリント写真希望枚数も取り込むことが可能である。
【００４７】
情報照合部３７は、本発明における照合手段に該当するもので、前述の見本番号取込部３６Ａによって取り込まれた見本番号とデータベース５に保管されている各画像情報２０に付与されている識別情報とを照合するものである。
【００４８】
画像情報取出部３８は、本発明における画像情報取出し手段に該当するもので、データベース５に登録、保管したプリント写真作成に使用する画像情報２０をデータベース５から取り出すものである。そして、本発明では、画像情報取出部３８は前述の情報照合部３７での照合結果に基づいて、顧客が注文した見本番号に該当する画像情報２０をデータベース５より選択的に取り出すことも可能である。
【００４９】
画像情報配列部３９は、本発明における画像情報配列手段に該当するもので、画像情報取出部３８によりデータベース５より取り出された画像情報２０のプリント写真を作成する順番を決めるものである。そして、本発明では、画像情報配列部３９は前述の注文順番情報取込部３６Ｂで取り込まれた注文情報の入力順番に画像情報２０を配列させるものであり、顧客がプリント写真注文表２６に記載した順番にプリント写真１０の作成を行うように制御するものである。
【００５０】
画像情報複写部４０は、本発明における画像情報複写手段に該当するもので、データベース５に登録されている画像情報を複写するものである。これは、プリント写真注文表２６に同じ見本番号の画像情報２０が複数記載されているケースのように、同じ画像情報２０を複数回システムに入力しなくてはならない場合に使用するものである。例えば、注文情報取込部３６の見本番号取込部３６Ａにすでに取込まれている見本番号２５を再度入力する場合、データベース５に登録されている再度入力した見本番号を有する画像情報２０を複写し、この複写画像情報を後から入力された見本番号２５に対応させてプリント写真出力装置６によるプリント写真作成を行う。
【００５１】
このように、プリント写真注文表２６に同じ見本番号２５が複数記載されていても、該当画像情報２０を複写して、その画像情報２０を再度入力された見本番号２５と対応させてプリント写真作成を行うことにより、プリント写真注文表２６の記載順どおりのプリント写真作成が行える。その結果、同じ見本番号２５の写真が複数回注文されていてもプリント写真をまとめて作成し、後でこれを仕分ける手間がないので、仕分け時間や仕分けミスの発生を回避して、作業効率と信頼性を向上させることができる。
【００５２】
このように、本発明に係るプリント写真作成システム１は、制御部３に設けられたこれらの情報処理部を介して、画像情報２０をプリント写真出力装置６に送信し、プリント写真を作成するように制御されている。
【００５３】
図３は、本発明に係るプリント写真作成システム１で行われるプリント写真作成の一連の流れを示すフロー図である。本発明に係るプリント写真作成システム１は、例えば、以下に示すフローをプリント写真作成プログラムとして情報取扱装置（コンピュータ）３のメモリ３Ｍ等に保管しておき、プリント写真作成時には保管したプログラムを起動させてプログラムに基づいて作業を行うよう制御されている。
【００５４】
最初に、プリント写真作成業者は撮像装置１１で撮像した画像情報２０をコンピュータ３を介して記録媒体２から取り出し（ステップＳ０１）、取り出された各画像情報２０に識別情報２５を付与する（ステップＳ０２）。識別情報２５は、コンピュータ３が各画像情報２０を識別するためのものであり、各撮像画像２１に対して１つの識別情報２５が１対１対応で付与される。そして、記録媒体２より取り出した画像情報２０に識別情報２５が付与されたことがコンピュータ３により確認されると（ステップＳ０３のＹｅｓ）、識別情報を付与した画像情報２０をデータベース５に登録する（ステップＳ０４）。なお、識別情報が付与されていない画像情報２０（ステップＳ０３のＮｏ）は、本発明の効果を発現させることができなくなるので、ステップＳ０２に戻って識別情報２５を確実に付与させる。
【００５５】
このようにして、データベース５に識別情報２５が付与された画像情報２０を登録後、本発明ではデータベース５に登録された画像情報２０を用いて、プリント写真を注文する顧客に提示するための見本写真１０ａを作成する（ステップＳ０５）。ここで、各見本写真１０ａには前述の識別情報２５を顧客が注文番号として確認できるように提示しておく。なお、見本写真１０ａはコンピュータ３からの作成指示によりプリント写真出力装置６で作成されるものである。
【００５６】
次に、プリント写真作成業者は作成した見本写真１０ａを顧客に提示して（ステップＳ０６）、顧客からの注文に応じる（ステップＳ０７）。プリント写真を注文する顧客は希望する写真に付与された見本番号（識別情報）２５を業者より配布されたプリント写真注文表２６に書き込む。そして、見本番号２５を記入したプリント写真注文表２６をプリント写真作成業者に提出することで注文が行われる。
【００５７】
受注後、プリント写真作成業者はプリント写真注文表２６に記入された見本番号２５をプリント写真注文表２６に記載された順番どおりにコンピュータ３に入力する（ステップＳ０８）。
【００５８】
プリント写真作成業者は、プリント写真注文表２６に記載された順番どおりにコンピュータ３に注文情報が入力されていることを確認すると（ステップＳ０９；Ｙｅｓ）、入力された見本番号２５が入力された順番どおりにコンピュータ３のメモリ３Ｍに登録される（ステップＳ１０）。見本番号２５の入力がプリント写真注文表２６に記載された順と異なる場合（ステップＳ０９；Ｎｏ）は、プリント写真注文表２６に記載された順番どおりに見本番号を入力し直すことになる。ここで、見本番号２５を正確に入力するため、例えば、プリント写真注文表２６の仕様をマークシート方式にして情報取扱装置３で自動的に読取りが行えるようにしたり、顧客が記入した注文番号を読み取る光学読取りリーダを用いて、キーボード入力による人為的な入力操作を避けるものでもよい。
【００５９】
顧客からの注文情報がコンピュータ３に登録されると、コンピュータ３は登録された見本番号２５とデータベース５に登録されている画像情報２０に付与されている識別情報２５とを照合し（ステップＳ１１）、該当する識別情報２５の画像情報２０をデータベース５より取り出す（ステップＳ１２）。そして、コンピュータ３はデータベース５より取り出された画像情報２０を前述のステップＳ０８で入力された見本番号２５の順番どおりにソートして、プリント写真の作成順番を決める（ステップＳ１３）。
【００６０】
ソート後、得られたプリント写真の作成順番が注文情報の入力順番と同じ場合（ステップＳ１４；Ｙｅｓ）は、コンピュータ３はプリント写真出力装置６よりプリント写真を出力するように指示を出す（ステップＳ１５）。一方、プリント写真の作成順番が注文情報の入力順番と異なる場合（ステップＳ１４；Ｎｏ）はソートをやり直して注文情報の入力順になるように画像情報を並べ替え、注文情報の順番と一致したときにプリント写真を作成するように制御される。このように、データベース５から取り出した画像情報２０がプリント写真注文表２６に記載された順番に配列された後、情報取扱装置３はこの順番にしたがって、プリント写真作成を行うようにプリント写真出力装置６を作動させる。そして、プリント写真注文表２６に記載された順番に画像情報２０のプリント写真を作成する。
【００６１】
なお、プリント写真注文表２６が見本番号２５とともに注文枚数も記入する仕様の場合（後述のプリント写真注文表２６ａのタイプ）は、ステップＳ０８で見本番号２５とともに注文枚数も併せて入力することになる。そして、ステップＳ１０で注文情報として見本番号２５とともに注文枚数も登録しておき、ステップＳ１５でプリント写真を作成するときに、取り出された画像情報２０を用いて入力された注文枚数分のプリント写真を作成する。
【００６２】
一方、プリント写真注文表２６が見本番号２５のみを記入する仕様の場合（後述のプリント写真注文表２６ｂのタイプ）は、一度入力した見本番号を複数回入力する可能性が出てくるものである。ステップＳ０８で一度入力された見本番号が連続で繰り返し入力される場合には、情報取扱装置３は前述の注文枚数を記入する仕様のときのように、例えば、ステップＳ１０で注文情報とともにその見本番号の入力された回数分プリント写真作成を行うように登録する。
【００６３】
また、一度入力された見本番号が不連続で入力される場合は、例えば、情報取扱装置３はステップＳ１０の注文情報の登録時に該当する見本番号２５の画像情報２０の複写を指示し、ステップＳ１２で該当画像情報２０が取り出されたときに、画像情報複写部４０により入力回数分複写して出力用の画像情報を用意する。
【００６４】
このように、本発明に係るプリント写真作成システムは、顧客からのプリント写真注文表に記載された順番どおりに注文番号をコンピュータ３に入力し、データベース５に登録されている該当画像情報２０を注文表の記載順番に並べてからプリント写真を作成するように制御されている。その結果、注文表の記載順にプリント写真の作成が行え、従来のように同じ画像のプリント写真をまとめて作成し、それを仕分ける手間をなくすことが可能になった。
【００６５】
本発明で使用される撮像装置は、撮像した画像に識別情報をつけるためのタグ領域を付与できるものであれば、特に限定されるものではない。例えば、撮像画像がデジタル画像として得られ、撮像画像とともに各撮像画像を撮影したときの日時や撮影条件などの情報もいっしょに記録することが可能なデジタルカメラは、その代表的なものである。
【００６６】
デジタルカメラ１１により得られる画像情報２０は、撮影時に撮像画像２１とともに各画像を撮影した日や時刻の情報をいっしょに記録することも可能で、これらタグ情報を収納するタグ情報領域２２が付与される。本発明に係るプリント写真作成システムは、撮像装置１１で得られた画像情報２０に対し、個々の撮像画像を識別するための識別情報を付与するものである。デジタルカメラ１１では、画像情報２０に撮像画像２１とともに撮像画像２１の関連情報を記録するタグ情報領域２２が付与されているので、本発明を実現する上で好ましいものである。
【００６７】
図４は、画像情報２０のフォーマットの一例を示す模式図で、（ａ）は記録媒体２に記録されているときの画像情報２０のフォーマットであり、（ｂ）は情報取扱装置３により識別情報２５が付与された後の画像情報２０のフォーマットを示すものである。
【００６８】
図に示すように、画像情報２０には、撮像画像２１とともにタグ情報２２として撮像画像２１に関連する種々の情報が画像ファイル２０に取り込まれるようになっている。なお、タグ情報２２は、例えば、Ｅｘｉｆなどのファイルフォーマット（デジタルカメラによる画像ファイルの記録形式のこと）により規定されており、ここでは、その詳細な内容については省略する。
【００６９】
図４に示すように、タグ情報領域２２内には、撮像画像２１に関連する種々の情報を収納する領域が設けられている。例えば、その画像情報のフォーマット種別２２１や、低解像度のサムネイル画像出力用情報２２２、撮影情報２２３などである。そして、これらの情報を収納する領域も、例えば、撮影情報２２３領域内に撮影実施時刻２２３ａや撮影条件２２３ｂといった情報を収納する領域が区分されて設けられている。
【００７０】
ここで、撮影実施時刻２２３ａには撮影を行った日時に関する情報が記録され、撮影条件２２３ｂには撮影時のシャッタスピードや絞り値などの露光条件や撮影時の天候、色温度などの撮影環境に関する情報が記録される。
【００７１】
また、ファイルフォーマット種別２２１には取得された撮像画像２１に関するフォーマット種別が記録され、サムネイル２２２には低解像度のサムネイル画像を出力する際に使用される情報が記録される。このように、タグ情報領域２２にはデジタルカメラ１１で取得された撮像画像２１に関連する各種付帯情報を記述することが可能である。
【００７２】
なお、タグ情報領域２２には、撮像画像２１を得たときの関連情報の他に、プリント写真作成に関連する情報を後付で記録することも可能である。例えば、図４中の注文情報２２４には。プリントサイズや、注文枚数、トリミング範囲、印画紙種類（光沢、絹目、シールプリントなど）、フリ有り／フチなし選択（図示せず）、画像移動（回転など）（図示せず）といったプリント写真作成に関連する種々の情報を記述することができる。
【００７３】
本発明では、タグ情報領域２２に個々の撮像画像を識別するための識別情報２５を付与し、識別情報２５が付与された画像情報２０をデータベース５に登録、保管してプリント写真作成に使用するものである。ここで、タグ情報領域２２に識別情報２５を記述する方法について説明する。図４（ａ）のように、タグ情報領域２２内に予め識別情報を収納するための領域２２５を用意しておく。この領域２２５は、デジタルカメラ１１で予め用意しておいても、また、情報取扱装置３にセットしたときに設定してもよい。
【００７４】
一方、情報取扱装置３では、個々の画像情報２０を識別するための識別情報２５を識別情報取込部３４を介して情報入力部３２より取り込んでおく。
【００７５】
そして、情報取扱装置３に記録媒体２を装填し、撮像画像取込部３３を介して記録媒体２より画像情報２０を取り込んだときに、識別情報取込部３４を介して取り込んでおいた識別情報２５を前述の領域２２５に書き込む。このようにして、本発明では画像情報２０に識別情報２５を付与することが可能である。
【００７６】
また、本発明に係るプリント写真作成システムに使用する画像情報は、ファイルフォーマットを有さない従来の銀塩写真方式の撮影装置で得られた画像も利用することが可能である。この場合、撮影により得られたフィルム画像をデジタル処理することが必要になる。例えば、撮影後、現像処理して得られたフィルム画像を情報取扱装置３でデジタル処理して電子情報化するとともに、デジタル化した画像情報に識別情報２５を付与するためのタグを設ける作業を行う。このようにして識別情報２５を収納するタグを設けた画像情報２０を作成することにより、デジタルカメラ１１で得られた画像と同様に顧客の注文順番にしたがってプリント写真作成を行うことが可能な画像情報に変換することができる。
【００７７】
本発明に係るプリント写真作成システムは、プリント写真注文表に記載された見本番号（識別情報）２５と見本番号が記入された順番を情報取扱装置３に入力することにより、顧客が注文した順番どおりにプリント写真を作成することができる。その結果、例えば、同じ写真に複数枚のプリント写真作成の注文が来ても、該当する画像情報をその都度取り出してプリント写真作成することができる。その結果、同じプリント写真を枚数分作成してから仕分け作業を行っていた従来のプリント写真作成よりも作業効率を向上させ、また、入れ忘れなどの間違いの発生を大幅に低減させることができるようになった。
【００７８】
本発明でいうプリント写真注文表とは、顧客がプリント写真を業者に注文する際にプリント作成を希望する写真の見本番号を記入するものである。本発明に係るプリント写真作成システムに使用される代表的なプリント写真注文表の例を図５に示す。代表例としては、（ａ）に示すような希望する写真の見本番号と希望枚数とがペアで記入されるタイプのものと、（ｂ）に示すような見本番号のみが記入されるタイプがある。
【００７９】
図５（ａ）のプリント写真注文表２６ａは、顧客記入欄２６１に見本番号とその見本番号の写真の注文枚数を記入する仕様になっている。図５（ａ）は、見本番号／枚数の組が、０００１／３、００１４／１、００２９／４、０２４６／１、・・・、となっている。この仕様のプリント写真注文表２６ａを用いてプリント写真作成を行うプログラムとしては、例えば、見本番号２５を入力した後に希望枚数を続けて入力するようにしたプログラムが挙げられる。
【００８０】
見本番号を入力後、続けて希望枚数を入力するプログラムとしては、例えば、
０００１（スペースキー）３（リターンキー）
００１４（リターンキー）
００２９（スペースキー）４（リターンキー）
０２４６（リターンキー）
というものがある。このプログラムによれば、コンピュータ３の情報入力部３２で、希望枚数が１枚のときは見本番号を入力後そのままリターンキーを押すことで、その見本番号の注文は１枚である旨が入力される。また、希望枚数が複数のときは見本番号を入力後にスペースキーを押して希望枚数を入力した後、リターンキーを押すことで複数枚のプリント写真を出力させる注文情報が入力される。
【００８１】
情報取扱装置３は、このプログラムに基づいて注文情報取込部３６で見本番号とともに希望枚数もいっしょに取り込むように制御する。そして、このようにして枚数も含めて取り込んだ注文情報に基づいてプリント写真出力装置６でのプリント写真作成を行うように制御する。
【００８２】
次に、図５（ｂ）のプリント写真注文表２６ｂは、顧客記入欄２６１には見本番号のみを記入する仕様になっているので、注文表２６ｂに記載されたとおりに情報取扱装置３の情報入力部３２より入力する。情報取扱装置３は、注文情報取込部３６で入力された順番どおりに情報を取り込み、この情報に基づいてプリント写真出力装置６でのプリント写真作成を行うように制御する。
【００８３】
図５（ｂ）のプリント写真注文表２６ｂを用いる場合、情報取扱装置３には同じ見本番号２５が不連続に複数回入力される可能性がある。この場合、一度入力された見本番号２５に対応する画像情報２０を複数回使用することになるが、本発明では、該当する画像情報２０を情報取扱装置３で効率よく利用できるようにする手段が設けられている。例えば、情報取扱装置３に画像情報複写部４０を設け、一度入力された見本番号２５が再度入力されたときに、該当する見本番号２５の画像情報２０を複写させ、この複写画像情報を再度入力された見本番号２５に対応させてプリント写真作成を行う。このように、プリント写真注文表２６の中に同じ見本番号２５が複数記載されている場合、該当画像情報２０を複写して、見本番号と画像情報とを１対１対応させることにより、プリント写真注文表２６に記載された順番どおりのプリント写真作成が可能である。
【００８４】
このように、本発明では設定されたプログラムに基づいて情報取扱装置３が顧客からの注文情報を取り込み、取り込んだ幽門情報どおりのプリント写真作成が行えるように制御されているので、プリント写真をまとめて作成した後に仕分け作業を行う必要がない。
【００８５】
また、本発明に使用されるプリント写真注文表には、見本番号やその見本番号に対応するプリント写真の希望枚数記入の他に、プリントサイズや、フチの有無、トリミング希望の有無といった注文を記入する仕様のものにしてもよい。この場合、これらの付帯注文を付与する工程を設けたプログラムを使用することにより対処することになる。
【００８６】
また、図５に示したプリント写真注文表２６は、顧客が見本番号を直接数字で記入する仕様のものであるが、マークシート方式などにより見本番号を記入する仕様のものであってもよい。すなわち、顧客のクセや記入時の状況により識別が困難な数字が記入されることも想定されるので、マークシート方式などによる見本番号記入は情報取扱装置３での注文情報の検知制度をより向上させることができる。
【００８７】
さらに、情報取扱装置３における情報入力部３での注文情報入力は、キーボードによる入力の他に、入力情報を人的な入力を伴わない光学読取装置での入力が誤入力を回避する上で効果的である。また、音声による入力装置もキーボードによる入力に比べて作業者の負担を軽減できるので好ましい入力方法の１つであるといえる。
【００８８】
次に、本発明に係るプリント写真作成システムに使用されるプリント写真出力装置について説明する。なお、本発明に使用されるプリント写真出力装置はここで例示したものに限定されるものではない。
【００８９】
図６は、本発明に使用可能なプリント写真出力装置６の一例である。図のプリント写真出力装置６は銀塩写真方式のプリント写真作成装置で、印画紙上に潜像形成処理を行うデジタルプリンタ６１とデジタルプリンタ６１で潜像形成した印画紙を現像処理する現像処理装置６２とから構成される。デジタルプリンタ６１は、露光記録部６４を有し、ぺーパー装填部６３より供給されるカラーペ−パー７０上に形成された潜像を顕像化し最終製品であるプリント写真を作成するものである。
【００９０】
ペーパー装填部６３には、帯状のカラーペーパー７０を巻取り収納したペーパーマガジン７１が装填される。ペーパーマガジン７１内には給紙ローラ対７２が配置され、プリンタ側の図示しない駆動モータによって回転される。給紙ローラ対７２により引き出されたカラーペーパー７０は露光記録部６４に供給される。
【００９１】
露光記録部６４は、例えばレーザープリンタなどの光源を介して、制御部３より送信された画像情報２０に基づいてカラーペーパー７０上に画像を露光記録する部位である。そして、本発明では、露光記録部６４で前述の画像情報配列部３９で決められた順番に画像情報２０がカラーペーパー７０上に記録される。
【００９２】
露光記録を済ませたカラーペーパー７０は、現像処理装置６２に供給されて現像処理が行われて画像形成される。現像処理装置６２を搬送するカラーペーパー７０は各処理槽６５ａ〜６５ｆで発色現像、漂白定着、安定化等の所定の処理がなされ、その後、乾燥部６６で乾燥処理された後、さらに、集積部６７に送られる。集積部６７では、現像処理及び乾燥処理が終了したカラーペーパー７０は最終製品であるプリント写真１０として顧客のプリント写真注文表に記載された順番どおりに集積されてまとめられる。
【００９３】
なお、カラーペーパー７０は、集積部６７に集積されるときには所定の大きさに断裁された状態になっている。帯状のカラーペーパー７０を所定の大きさに断裁する方法としては、例えば、一連の画像形成処理を帯状のまま行ったあと集積部６７で集積する直前に裁断する方法や、露光記録前に裁断しカットシート状のカラーペーパーに画像形成処理を施す方法などが挙げられる。
【００９４】
なお、本発明に係るプリント写真作成システムに使用されるプリント写真出力装置には、上述した銀塩写真方式のものの他に、例えば、インクジェット方式やトナーによる電子写真方式、さらには、昇華型インク方式などの非銀塩方式の画像形成装置もある。この中で、銀塩写真方式によるプリント写真作成装置は紙などの媒体上に比較的短時間で画像形成を行うことができ、また、高画質のプリント画像を比較的容易に得られ易いというメリットから、特に、大量のプリント写真注文を受注することの多い業者には好ましい。また、トナーによる電子写真方式の画像形成は、重合トナーに代表される小径トナーやデジタル処理技術の発達により、近年では写真様の高精細な画像形成も可能になっている。また、画像形成装置も比較的コンパクトなものが多く、例えば、狭いスペースでプリント写真作成を行うような業者には好ましいものである。
【００９５】
図７に、電子写真方式によるフルカラー画像形成が可能な非磁性一成分現像剤を用いたフルカラー画像形成装置の例を示す。図７のフルカラー画像形成装置６０は、回転駆動される感光体ドラム８１の周囲に、この感光体ドラム８１の表面を所定の電位に均一に帯電させる帯電ブラシ８２や、この感光体ドラム８１上に残留したトナーを掻き落とすクリーナ８３、帯電された感光体ドラム８１を走査露光するレーザ光学系８４が設けられている。
【００９６】
画像形成装置６０に内蔵される制御部にはシアン、マゼンタ、イエロー、ブラック毎の画像データが前述の情報取扱部３から転送され、各色毎の画像データに基づいて、レーザ走査光学系８４は順次レーザビームを出力して感光体ドラム８１上を走査露光する。
【００９７】
レーザビームでの走査露光により、感光体ドラム８１上に各色毎の静電潜像が順次形成され、形成された静電潜像は、現像装置８５より感光体ドラム８１に供給されるシアン、マゼンタ、イエロー、ブラックの各非磁性１成分トナーにより現像される。
【００９８】
非磁性１成分現像剤に使用されるトナーは、例えば、特開２０００−２１４６２９号公報などに開示される重合トナーに代表されるケミカルトナーが好ましく、それは、トナーの製造工程を制御することにより、プリント写真レベルの微小なドット画像再現が可能な小径トナーが得られることによる。画像情報２０を忠実に再現させるトナーとしては、例えば、体積メディアン粒径（体積Ｄ５０％径）が３．０乃至９．０μｍレベルの小径トナーが用いられ、銀塩写真様の仕上がりのプリント画像を形成することが可能である。
【００９９】
なお、この体積基準メディアン径はコールターマルチサイザーIII（ベックマン・コールター社製）に、データ処理用のコンピューターシステム（ベックマン・コールター社製）を接続した装置を用いて測定、算出することができる。
【０１００】
測定手順としては、トナー０．０２ｇを、界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、トナー分散液を作製する。このトナー分散液を、サンプルスタンド内のＩＳＯＴＯＮII（ベックマン・コールター社製）の入ったビーカーに、測定濃度５〜１０％になるまでピペットにて注入し、測定機カウントを２５００個に設定して測定する。尚、コールターマルチサイザーのアパチャ−径は５０μｍのものを使用した。
【０１０１】
非磁性１成分現像剤により形成されたトナー画像は、感光体ドラム８１の回転方向下流側に設けられている中間転写ベルト８６を介して記録紙等の記録材Ｓ上に転写される。そして、中間転写ベルト  よりトナー画像を押圧転写された記録材Ｓは定着装置８７で転写されたトナー画像を記録材Ｓ上に定着されて画像形成が行われる。
【０１０２】
このように、図７に示すような電子写真方式の画像形成装置によるプリント写真作成によれば、重合トナーに代表されるトナーの小径化やデジタル処理技術の発達により高精細な画像形成が可能なので高品質な写真画像をトナー画像で形成することが可能である。また、画像形成装置も比較的コンパクトで持ち運びが容易に行えるものもあるので、作業スペースが限られている業者にもプリント写真ビジネスへの参入の機会を増やすことができる。また、画像形成装置を注文を受注している場所に持ち込み、注文を受けてすぐにプリント写真を顧客に提供できるので、注文を現像所に持ち帰ってからプリント写真作成を行わなくてはならなかった従来のビジネスモデルを大幅に刷新させることが可能である。
【０１０３】
このように、本発明によれば、撮影した個々の画像情報に識別情報を付与し、この識別情報を介して各撮影画像をコンピュータにより認識、管理することをできるようにしている。そして、プリント写真作成時にこの識別情報を介して各画像情報を検索することができ、検索した識別情報から対応する画像情報のプリント写真作成が行えるようになっている。したがって、顧客からの注文表に記載された注文情報の順番どおりにプリント写真を作成することが可能であり、顧客の注文内容とプリント写真との検品照合が容易に行えて、個々の顧客の注文表に記載された順番どおりにプリント写真作成を行える。
【図面の簡単な説明】
【０１０４】
【図１】本発明に係るプリント写真作成システムを概略的に示した模式図である。
【図２】制御部のブロック図である。
【図３】本発明に係るプリント写真作成システムにおけるプリント写真作成のフロー図である。
【図４】画像情報のフォーマットの一例を示す模式図である。
【図５】代表的なプリント写真注文表の例を示す模式図である。
【図６】銀塩写真方式のプリント写真作成装置の例を示す模式図である。
【図７】電子写真方式のプリント写真作成装置の例を示す模式図である。
【符号の説明】
【０１０５】
１  プリント写真作成システム
１０  プリント写真
１０ａ  プリント写真（見本写真）
１０ｂ  プリント写真
１１  デジタルカメラ
２  記録媒体
２０  画像情報（画像ファイル）
２１  撮像情報
２２  タグ情報領域
２５  識別情報（見本番号）
２６  プリント写真注文表
３  情報取扱装置
３Ａ  演算実施ユニット
３Ｍ  メモリ
３０  ＣＰＵ
３１  記録媒体装填部
３２  情報入力部
３３  撮像画像取込部
３４  識別情報取込部
３５  情報合成部
３６  注文情報取込部
３６Ａ  見本情報取込部
３６Ｂ  注文順番情報取込部
３７  情報照合部
３８  画像情報取出部
３９  画像情報配列部
４０  画像情報複写部
５  データベース
６  プリント写真出力装置（プリンタ）
６１  デジタルプリンタ
６２  現像処理装置
７  モニタ（表示画面）
７０  カラーペーパー（印画紙）
【図１】
2006332747.tif 000003
【図２】
2006332747.tif 000004
【図３】
2006332747.tif 000005
【図４】
2006332747.tif 000006
【図５】
2006332747.tif 000007
【図６】
2006332747.tif 000008
【図７】
2006332747.tif 000009